(57)【要約】    【課題】  外部から砂、塵、水などが侵入し難いレンズバリア付レンズ鏡筒を提供する。    【解決手段】  バリア地板を構成するレンズ鏡筒２の前面側には、レンズバリア４が、レンズ鏡筒２の裏面側には嵌合軸６の駆動ピン６ｄがそれぞれ配置されている。レンズバリア４の各はね部材４ａは対応する嵌合軸６と結合され、嵌合軸６を中心に嵌合軸の回転により揺動する。各嵌合軸６の駆動ピン６ｄは、バリア駆動環７に当接し、各嵌合軸６は、バリア駆動環７の回転に連動して回転する。各はね部材４ａは、対応する嵌合軸６の回転駆動により揺動され、レンズ１に対する光通過口が開放される。【選択図】      図１
2006133682.tif 000002
【特許請求の範囲】
【請求項１】
撮影用開口を開閉すべく、光軸と平行な軸線を中心に揺動するバリア部材を含むレンズバリアを有するレンズバリア付レンズ鏡筒であって、
前記レンズバリアの前記バリア部材と結合され、該バリア部材の揺動中心と同軸に延びる回転軸と、
前記回転軸をその軸線の周りに回転駆動させるための駆動力を前記回転軸に与える駆動手段と、
前記回転軸が回転可能に挿通される貫通穴を有するバリア地板とを備え、
前記回転軸には、前記駆動手段から駆動力が与えられる被駆動部が設けられ、前記回転軸は、前記被駆動部に伝達される駆動力により回転駆動され、
前記バリア部材は、前記回転軸の回転駆動により光軸と平行な軸線の周りに揺動され、
前記バリア部材と前記回転軸の前記該被駆動部との間に、前記バリア地板が配置されていることを特徴とするレンズバリア付レンズ鏡筒。
【請求項２】
前記回転軸の前記バリア地板の前記貫通穴に挿入される部分と前記バリア地板との間には、防水手段が設けられていることを特徴とする請求項１記載のレンズバリア付レンズ鏡筒。
【請求項３】
前記回転軸の一端には、前記バリア部材との結合部が設けられ、前記被駆動部は、前記回転軸の他端近傍に設けられていることを特徴とする請求項２記載のレンズバリア付レンズ鏡筒。
【請求項４】
前記バリア地板は、筒状部材から構成され、該筒状部材の一端には、レンズが挿入される開口穴が形成されるとともに、前記貫通穴が形成されていることを特徴とする請求項３記載のレンズバリア付レンズ鏡筒。
【請求項５】
撮影用開口を開閉すべく、光軸と平行な軸線を中心に揺動するバリア部材を含むレンズバリアを有するレンズバリア付レンズ鏡筒であって、
一端に、前記バリア部材との結合部が設けられ、該バリア部材の揺動中心と同軸に延びる回転軸と、
前記回転軸をその軸線の周りに回転駆動させるための駆動力を前記回転軸に与える駆動手段と、
前記回転軸が回転可能に挿通される貫通穴を有するバリア地板とを備え、
前記回転軸には、前記駆動手段から駆動力が与えられる被駆動部が設けられ、前記回転軸は、前記バリア部材との結合部に対して他端近傍に設けられた前記被駆動部に伝達される駆動力により回転駆動され、
前記バリア部材は、前記回転軸の回転駆動により光軸と平行な軸線の周りに揺動され、
前記バリア部材と前記回転軸の前記該被駆動部との間に、前記バリア地板が配置されていることを特徴とするレンズバリア付レンズ鏡筒。
【請求項６】
請求項１または５に記載のレンズバリア付レンズ鏡筒を備えることを特徴とするカメラ。
【発明の詳細な説明】
【技術分野】
【０００１】
本発明は、レンズバリアが設けられているレンズ鏡筒およびそれを搭載するカメラに関する。
【背景技術】
【０００２】
従来、レンズシャッタカメラなどのコンパクトカメラとして、撮影レンズの前部に着脱可能なレンズキャップを備えるものがある。レンズキャップは、撮影レンズの保護や外光カットを行うために、カメラの不使用時に装着されるものである。
【０００３】
近年、レンズキャップの代わりに、カメラ本体またはレンズ鏡筒の一部にレンズバリアを設け、このレンズバリアをカメラ本体に設けられたバリア駆動手段により駆動制御する方式が多くのカメラに採用されている。
【０００４】
次に、上記レンズバリアが設けられているレンズ鏡筒について図４を参照しながら説明する。図４は従来のレンズバリア付レンズ鏡筒の分解斜視図である。
【０００５】
レンズバリア付レンズ鏡筒は、図４に示すように、レンズ鏡筒１０２を備える。レンズ鏡筒２には、レンズ１０１およびバリア機構を構成する部品の組付け基準となるバリア地板１０３が保持される。また、レンズ鏡筒１０２には、上記レンズ１０１を保護するためのレンズバリア１０４およびレンズバリア１０４の駆動機構が搭載されている。
【０００６】
バリア地板１０３は、円環状の形状を有する。バリア地板１０３には、互いに光軸方向と直交する方向へ対向するように配置された１対の嵌合軸１０３ａと、互いに光軸方向と直交する方向へ対向するように配置された１対の引掛け部１０３ｂと、互いに光軸方向と直交する方向へ対向するように縁部に配置された扇形状の１対の切欠き部１０３ｃとが設けられている。
【０００７】
レンズバリア１０４は、同形状の１対のはね部材１０４Ａから構成され、各はね部材１０４Ａは光軸を中心として点対称となる位置にそれぞれ配置されている。各はね部材１０４Ａには、回転中心となる嵌合穴１０４ａ、閉じばね１０５の引掛け部１０４ｂ、および嵌合穴１０４ａから離れた位置に配置された駆動ピン１０４ｃがそれぞれ設けられている。
【０００８】
各はね部材１０４Ａの嵌合穴１０４ａには、バリア地板１０３の対応する嵌合軸１０３ａが嵌合され、各はね部材１０４Ａは対応する嵌合軸１０３ａを軸として回転可能に支持される。
【０００９】
各閉じばね１０５は、引っ張りばねからなり、それぞれの一端は、対応する引掛け部１０４ｂに引っ掛けられている。各閉じばね１０５の他端は、バリア地板１０３の対応する引掛け部１０３ｂにそれぞれ引っ掛けられている。この各閉じばね１０５により、各はね部材１０４Ａは、嵌合軸１０３ａを中心に図中の反時計回り（以下、ＣＣＷという）方向へ付勢される。すなわち、バリア１０４には、常時、閉じる方向へ回転力が作用していることになる。
【００１０】
各はね部材１０４Ａの駆動ピン１０４ｃは、バリア地板１０３の対応する切欠き部１０３ｃを挿通して、後述するバリア駆動環１０７に向けて延びる。
【００１１】
また、レンズ鏡筒１０２には、バリアカバー１０６が保持されており、バリアカバー１０６とバリア地板１０３との間には、レンズバリア１０４を構成する各はね部材１０４Ａの動作空間が形成される。
【００１２】
レンズ鏡筒１０２とバリア地板１０３との間には、バリア１０４を開閉駆動するためのバリア駆動環１０７が配置され、バリア駆動環１０７は、光軸周りに回転可能にレンズ鏡筒１０２に支持されている。バリア駆動環１０７には、直径方向に対向する１対の当接部１０７ａ、引掛け部１０７ｂおよびレンズ鏡筒１０２側に向けて突出する係合部１０７ｃが設けられている。
【００１３】
各当接部１０７ａは、それぞれ、バリア駆動環１０７が回転する際に対応するはね部材１０４Ａの駆動ピン１０４ｃに当接し、バリア１０４を開く方向に押圧するための部位である。上記各当接部位１０７ａにより対応するはね部材１０４Ａの駆動ピン１０４ｃが押圧されると、各はね部材１０４Ａの駆動ピン１０４ｃは嵌合穴１０４ａを中心にして揺動する。すなわち、バリア１０４を構成する各はね部材１０４Ａは、それぞれ、嵌合穴１０４ａを中心にして揺動する。これにより、レンズバリア１０４は、レンズ１０１に対する光通過口を形成する。
【００１４】
引掛け部１０７ｂには、引っ張りばねからなる開きばね１０８の一端が引っ掛けられている。開きばね１０８の他端は、レンズ鏡筒１０２に設けられた引掛け部１０２ａに引っ掛けられている。この開きばね１０８により、バリア駆動環１０７は、常時、光軸を中心に図中の時計回り（以下、ＣＷという）方向へ付勢されることになる。
【００１５】
係合部１０７ｃは、鏡筒が非使用状態にあるときに、作用部材（図示せず）と当接され、上記作用部材は、バリア駆動環１０７に対してＣＣＷ方向へ回転力を与えるように作用する。この際、上記作用部材は、開きばね１０８により発生される付勢力に抗しながらバリア駆動環１０７に対して作用し、この作用によりバリア駆動環１０７はＣＣＷ方向に回転される。このバリア駆動環１０７の回転に伴い当接部１０７ａは駆動ピン１０４ｃから離間する。これにより、レンズバリア１０４の各はね部材１０４Ａは、閉じばね１０５によって閉じた状態になる。すなわち、レンズバリア１０４により、レンズ１０１に対する光通過口が閉じられ、レンズ１０１が保護される。
【００１６】
鏡筒の使用状態においては、上記作用部材と係合部１０７ｃとの位置関係が変化し、両者の当接が解かれる。そのため、バリア駆動環１０７は開きばね１０８によってＣＷ方向へ回転する。これにより、当接部１０７ａが駆動ピン１０４ｃに当接し、各はね部材１０４ＡにＣＷ方向の力が作用する。このとき、開きばね１０８のバリア駆動環１０７に対する付勢力が閉じばね１０５のはね部材１０４Ａに対する付勢力より強いので、各はね部材１０４Ａが開いた状態になり、レンズバリア１０４により、レンズ１０１に対する光通過口が開かれる。
【００１７】
このように、鏡筒の使用状態に応じて自動的に開閉するレンズバリア１０４によって、使用者はレンズバリア１０４の開け閉めを気にすることなく撮像装置を使用することができ、撮像装置の利便性の向上を図ることができる。
【特許文献１】特開２００４−０６９９９１号公報
【特許文献２】特開２００４−０４５７４４号公報
【発明の開示】
【発明が解決しようとする課題】
【００１８】
しかしながら、上述した従来のレンズバリア付レンズ鏡筒においては、対応する駆動ピン１０４ｃが挿通される扇形状の１対の切欠き部１０３ｃがバリア地板１０３に形成されているので、外部からの砂や塵が切欠き部１０３ｃを経てバリア駆動環１０７の作動空間に侵入し、これが不具合の発生の原因となる可能性がある。また、上記レンズバリア付鏡筒を有する撮像装置に対して防水または防滴機能を持たせることは難しい。
【００１９】
本発明の目的は、外部から砂、塵、水などが侵入し難いレンズバリア付レンズ鏡筒およびカメラを提供することにある。
【課題を解決するための手段】
【００２０】
本発明は、上記目的を達成するため、撮影用開口を開閉すべく、光軸と平行な軸線を中心に揺動するバリア部材を含むレンズバリアを有するレンズバリア付レンズ鏡筒であって、前記レンズバリアの前記バリア部材と結合され、該バリア部材の揺動中心と同軸に延びる回転軸と、前記回転軸をその軸線の周りに回転駆動させるための駆動力を前記回転軸に与える駆動手段と、前記回転軸が回転可能に挿通される貫通穴を有するバリア地板とを備え、前記回転軸には、前記駆動手段から駆動力が与えられる被駆動部が設けられ、前記回転軸は、前記被駆動部に伝達される駆動力により回転駆動され、前記バリア部材は、前記回転軸の回転駆動により光軸と平行な軸線の周りに揺動され、前記バリア部材と前記回転軸の前記該被駆動部との間に、前記バリア地板が配置されていることを特徴とするレンズバリア付レンズ鏡筒を提供する。
【００２１】
また、撮影用開口を開閉すべく、光軸と平行な軸線を中心に揺動するバリア部材を含むレンズバリアを有するレンズバリア付レンズ鏡筒であって、一端に、前記バリア部材との結合部が設けられ、該バリア部材の揺動中心と同軸に延びる回転軸と、前記回転軸をその軸線の周りに回転駆動させるための駆動力を前記回転軸に与える駆動手段と、前記回転軸が回転可能に挿通される貫通穴を有するバリア地板とを備え、前記回転軸には、前記駆動手段から駆動力が与えられる被駆動部が設けられ、前記回転軸は、前記バリア部材との結合部に対して他端近傍に設けられた前記被駆動部に伝達される駆動力により回転駆動され、前記バリア部材は、前記回転軸の回転駆動により光軸と平行な軸線の周りに揺動され、前記バリア部材と前記回転軸の前記該被駆動部との間に、前記バリア地板が配置されていることを特徴とするレンズバリア付レンズ鏡筒を提供する。
【００２２】
本発明は、上記目的を達成するため、上記レンズバリア付レンズ鏡筒を備えることを特徴とするカメラを提供する。
【発明の効果】
【００２３】
本発明によれば、外部から砂、塵、水などが侵入し難いレンズバリア付レンズ鏡筒を提供することができる。
【発明を実施するための最良の形態】
【００２４】
以下、本発明の実施の形態について図面を参照しながら説明する。
【００２５】
図１は本発明の一実施の形態に係るレンズバリア付レンズ鏡筒の構成を示す分解斜視図、図２は図１の分解斜視図を別の方向から見た分解斜視図、図３は図１のレンズバリア付レンズ鏡筒のバリア駆動環７の係合部７ｄとカメラ本体に固定された固定部材との位置関係を模式的に示す図である。
【００２６】
レンズバリア付鏡筒は、図１および図２に示すように、レンズ鏡筒２を備え、レンズ鏡筒２は、レンズ１を保持するための開口が設けられた前面側（被写体側）端部および開放端からなる裏面側端部を有する。レンズ１は、レンズ１とレンズ鏡筒２との間の隙間を封止するように接着剤でレンズ鏡筒２の前面側端部に接合されている。レンズ鏡筒２の前面側には、化粧板３、レンズバリア４、およびバリアカバー５が組み付けられる。レンズ鏡筒２内には、バリア駆動環７、１対の嵌合軸６、および蓋１０が組み付けられる。レンズ鏡筒２は、上記各部品を組み付ける際の基準となるバリア地板を兼ねるものである。レンズ鏡筒２は、カメラ本体に設けられたアクチュエータ（図示せず）によって、使用時には、使用位置（撮影可能位置）に移動され、非使用時には、非使用位置（収納位置）に移動される。
【００２７】
レンズ鏡筒２には、引掛け部２ａ（図２に示す）、レンズ鏡筒２の直径方向に対向する１対の貫通穴２ｂ、および３つのくぼみ２ｃ（図２に示す）が設けられている。引掛け部２ａは、レンズ鏡筒２の裏面側に配置されている。各貫通穴２ｂは、レンズ鏡筒２の前面側が大径部となるように形成されている。各くぼみ２ｃは、等間隔でレンズ鏡筒２の内面に配置されている。
【００２８】
化粧板３は、レンズ１とレンズ鏡筒２との接着剤による接合部を少なくとも覆うように、接着剤によりレンズ鏡筒２に接合される。レンズバリア４は、同形状の１対のはね部材４ａから構成され、各はね部材４ａは、互いに光軸を中心に点対称となるように配置されている。各はね部材４ａには、それぞれ、バリア結合穴４ｂが形成されており、各はね部材４ａは、バリア結合穴４ｂを中心に揺動する。なお、レンズバリア４を構成するはね部材の枚数や形状については、上記に限定されるものではない。バリアカバー５は、レンズ鏡筒２とバヨネット結合される。ここで、レンズ鏡筒２側のバヨネット形状の形成においては、いわゆる外スライドを利用することによって、加工上の穴が形成されないようにされている。バリアカバー５と化粧板３との間には、バリア４の作動空間が形成される。
【００２９】
バリア駆動環７は、レンズ鏡筒２内の部位と摺動嵌合し、光軸周りに回転可能に支持される。バリア駆動環７には、開きばね９の一端が引掛けられる引掛け部７ａと、閉じばね８のための１対の引掛け部７ｂと、１対の凹部７ｃと、係合部７ｄとが設けられている。各引掛け部７ｂは、互いに直径方向へ対向するように配置されている。各凹部７ｃは、互いに直径方向へ対向するようにバリア駆動環７の内周面に配置されている。係合部７ｄは、非使用時には、カメラ本体に固定された固定部材と当接され、撮影時には、係合部７ｄと固定部材との当接が解除される。この作用の詳細については後述する。開きばね９の一端は、上述したように、引掛け部７ａに引掛けられており、その他端は、レンズ鏡筒２の引掛け部２ａに引掛けられている。この開きばね９により、バリア駆動環７は、ＣＣＷ方向へ付勢される。
【００３０】
蓋１０は、光軸と同軸上にレンズ鏡筒２内に配置される環状の部材からなり、その外周部には、３つの爪部１０ａが設けられている。各爪部１０ａは、互いに等間隔で配置され、対応するレンズ鏡筒２内のくぼみ２ｃに係合可能な形状を有する。また、蓋１０には、直径方向へ対向するように配置された１つの嵌合穴１０ｂが設けられている。蓋１０は、各爪部１０ａと対応するくぼみ２ｃとが係合されてレンズ鏡筒２内に保持されており、各嵌合穴１０ｂがレンズ鏡筒２の対応する貫通穴２ｂと同軸上になるように位置決めされている。蓋１０は、バリア駆動環７および嵌合軸６の動作空間をレンズ鏡筒２内に形成する。
【００３１】
各嵌合軸６は、ぞれぞれ、一端に形成された二方取り形状のバリア結合部６ｃと、中間部に形成された小径軸部６ｂと、他端近傍部位に形成された引掛け部６ａとを有する。各嵌合軸６の引掛け部６ａは軸線と直交する方向へ張り出し、その先端には、軸線方向へ突出する駆動ピン６ｄが設けられている。各嵌合軸６の駆動ピン６ｄは、対応する凹部７ｃと当接される。各嵌合軸６は、バリア駆動環７の対応する凹部７ｃを経てレンズ鏡筒２の対応する貫通穴２ｂに挿通され、バリア結合部６ｃは、対応するはね部材４ａのバリア結合穴４ｂに嵌合される。各嵌合軸６の小径軸部６ｂは、レンズ鏡筒２の対応する貫通穴２ｂの大径部に挿入されたＯリング１１に挿通され、各嵌合軸６の他端は、蓋１０の対応する嵌合穴１０ｂに回転可能に嵌合される。各嵌合軸６は、レンズ鏡筒２および蓋１０により回転可能に支持され、光軸を中心として点対称になるように配置されている。
【００３２】
Ｏリング１１は貫通穴２ｂの大径部と小径軸部６ｂとの間で弾性変形され、Ｏリング１１により小径軸部６ｂと貫通穴２ｂとの間の隙間が塞がれる。これにより、各嵌合軸６と対応する貫通穴２ｂとの間の隙間から埃、水などがレンズ鏡筒２内に浸入することが防がれ、所定レベルの防水性能が発揮される。この防水性能としては例えばＪＩＳ４級程度のものが得られればよく、その場合、Ｏリング１１の外径が７〜１０％程度つぶれるように設定される。なお、貫通穴２ｂの大径部を小さくし、Ｏリング１１の弾性変形率を大きくすると、より高いレベルの防水性能を得ることが可能になるが、嵌合軸６が回転する際に嵌合軸６が受ける抵抗が大きくなり、嵌合軸６を回転させるために、大きな駆動力が必要となる。
【００３３】
各嵌合軸６の引掛け部６ａには、対応する閉じばね８の一端が引掛けられている。各閉じばね８は、バリア４の対応するはね部材４ａを閉じる方向すなわちＣＷ方向へ付勢するための引張りばねからなり、その他端は、バリア駆動環７の対応する引掛け部７ｂに引掛けられている。これにより、各嵌合軸６には、対応する閉じばね８により、駆動ピン６ｄがバリア駆動環７の対応する凹部７ｃと当接された状態でＣＣＷ方向への回転力が付与される。
【００３４】
次に、上記レンズバリア付レンズ鏡筒の組み立ての手順について説明する。
【００３５】
まず、レンズ鏡筒２に設けられた穴にレンズ１が嵌合され、接着剤によりレンズ鏡筒２に接合される。この際、レンズ１の周辺部とレンズ鏡筒２との間に生じる隙間は、接着剤により封止され、レンズ１の周辺部とレンズ鏡筒２との間に生じる隙間に対する防水処置が施される。そして、化粧板３がレンズ鏡筒２に接着剤により接合される。
【００３６】
次に、バリア駆動環７がレンズ鏡筒２に背面側から組み込まれる。バリア駆動環７は、レンズ鏡筒２に摺動嵌合し、光軸を中心として回転可能に支持される。ここで、開きばね９は、その一端が引掛け部７ａに、その他端が引掛け部２ａにそれぞれ引掛けられて取り付けられる。これにより、バリア駆動環７は、常時、ＣＣＷ方向へ付勢される。
【００３７】
次に、各嵌合軸６がレンズ鏡筒２に組み込まれる。まず、各嵌合軸６は、それぞれ、レンズ鏡筒２の対応する貫通穴２ｂに挿通される。この際、各嵌合軸６の駆動ピン６ｄは、バリア駆動環７の凹部７ｃと当接されるように位置決めされる。また、各嵌合軸６の引掛け部６ａには、対応する閉じばね８の一端が引掛けられ、各閉じばね８の他端は、バリア駆動環７の対応する引掛け部７ｂに引掛けられる。これにより、各嵌合軸６には、対応する閉じばね８により、ＣＣＷ方向への回転力が与えられる。
【００３８】
次に、蓋１０がレンズ鏡筒２内に挿入され、蓋１０の各爪部１０ａがレンズ鏡筒２の対応するくぼみ２ｃに係合される。これにより、蓋１０はレンズ鏡筒２に保持される。蓋１０をレンズ鏡筒２内に挿入する際に、蓋１０の各嵌合穴１０ｂには、対応する嵌合軸６の他端が嵌合され、各嵌合軸６は、レンズ鏡筒２と蓋１０とにより回転可能に支持される。蓋１０とレンズ鏡筒２とにより、バリア駆動環７の作動空間が形成され、バリア駆動環７の脱落が防止される。また、各嵌合軸６は、レンズ鏡筒２の貫通穴２ｂと蓋１０の嵌合穴１０ｂとの２箇所で回転可能に嵌合支持されるので、嵌合軸６が回転する際のぶれが少なる。また、蓋１０により、嵌合軸６がレンズ鏡筒２の背面側へ抜け落ちるのが防止される。
【００３９】
次に、レンズ鏡筒２に対して防水手段である各Ｏリング１１が組み込まれる。すなわち、各Ｏリング１１は、対応する嵌合軸６の小径部を受け入れるように対応する貫通穴２ｂの大径部に押し込まれる。この際、各Ｏリング１１は、対応する嵌合軸６と貫通穴２ｂとの間で弾性変形され、上述したように所定レベルの防水性能例えばＪＩＳ４級程度の防水性能が得られることになる。
【００４０】
次に、レンズ鏡筒２に対してレンズバリア４が組み込まれる。レンズバリア４の各はね部材４ａのバリア結合穴４ｂに対して、対応する嵌合軸６の先端に設けられたバリア結合部６ｃが圧入され、各はね部材４ａと対応する嵌合軸６とは固着される。これにより、各はね部材４ａは、対応する嵌合軸６の回転に従動して嵌合軸６を中心として揺動可能になる。
【００４１】
次に、レンズ鏡筒２に対してバリアカバー５が組み込まれる。バリアカバー５は、レンズ鏡筒２とバヨネット結合される。このバリアカバー５は、各嵌合軸６の先端を受けるので、嵌合軸６の光軸方向への抜け止めの役割を果たす。
【００４２】
以上の手順に従って、バリア付レンズ鏡筒２が組み立てられることになる。ここで、上記説明から分かるように、レンズ鏡筒２が嵌合軸６、レンズバリア４などのバリア機構を構成する各部品の基準となるバリア地板としての役目を担う。すなわち、本実施の形態においては、レンズ鏡筒２がバリア地板に相当するものである。
【００４３】
次に、本実施の形態のレンズバリア機構の動作について説明する。
【００４４】
レンズ１が撮影に供しない状態である非使用時には、レンズ鏡筒２は、カメラ本体に設けられたアクチュエータ（図示せず）によって、非使用位置（収納位置）に移動される。また、レンズ鏡筒２の移動に伴い各嵌合軸６はＣＷ方向へ回転され、各はね部材４ａは互いに突き合わされるように回転された状態にある。すなわち、レンズバリア４は完全に閉じられる。
【００４５】
具体的には、レンズ鏡筒２の非使用位置へ移動（光軸方向への移動）に伴いバリア駆動環７の係合部７ｄは、図３（ａ）〜（ｃ）に示すように、光軸方向へ固定部材１２に向けて移動され、固定部材１２の傾斜面１２ａに対して当接される。このバリア駆動環７の係合部７ｄと固定部材１２の傾斜面１２ａとが当接されると、固定部材１２の傾斜面１２ａの作用により、バリア駆動環７は、それに与えられている開きばね９によるＣＣＷ方向への回転力に抗しながら、ＣＷ方向へ回転される（図３（ａ）および図３（ｂ）を参照）。このとき、各嵌合軸６は、対応する閉じばね８により常にＣＣＷ方向へ付勢され、それぞれ駆動ピン６ｄは、対応する凹部７ｃに当接されている。よって、このバリア駆動環７のＣＷ方向への回転に連動して各駆動ピン６ｄは揺動し、これにより各嵌合軸６は、ＣＣＷ方向へ回転する。この各嵌合軸６の回転に伴い各はね部材４ａは、互いに当接するまでＣＣＷ方向へ回転する。これにより、バリア４は完全に閉じられる。
【００４６】
撮影時、レンズ鏡筒２は光軸方向へ非使用位置から使用位置へ向けて移動される。この場合、バリア駆動環７の係合部７ｄは、図３（ａ）〜（ｃ）に示すように、光軸方向に沿って固定部材１２から離間する方向に向けて移動される。この係合部７ｄの光軸方向への移動に伴い係合部７ｄは、開きばね９によるＣＣＷ方向への回転力により、固定部材１２の傾斜面１２ａに沿ってＣＣＷ方向へ回転される。すなわち、バリア駆動環７は、ＣＣＷ方向へ回転される。このとき、各嵌合軸６の駆動ピン６ｄは、対応する凹部７ｃに当接されているので、このバリア駆動環７のＣＣＷ方向への回転に連動して各駆動ピン６ｄは揺動し、これにより各嵌合軸６は、ＣＷ方向へ回転する。この各嵌合軸６の回転に伴い各はね部材４ａはＣＷ方向へ回転し、バリア４は開かれる。そして、このバリア駆動環７の係合部７ｄと固定部材１２の傾斜面１２ａとの当接が解除される。この当接が解除されると、バリア駆動環７は、各凹部７ｃと対応する駆動ピン６ｄとが当接された状態で、開きばね９による付勢力により所定位置に保持され、バリア４は完全に開かれた状態に保持される。
【００４７】
このように、本実施の形態によれば、バリア地板を構成するレンズ鏡筒２の前面側にレンズバリア４が、レンズ鏡筒２の裏面側に嵌合軸６の駆動ピン６ｄが配置されているので、従来のように、対応する駆動ピン１０４ｃが挿通される扇形状の１対の切欠き部１０３ｃがバリア地板１０３に形成されている構成と異なり、レンズ鏡筒２（バリア地板）に扇形状の切欠き部１０３ｃを設ける必要がなく、外部からの砂や塵が切欠き部１０３ｃを経てレンズ鏡筒２内に侵入することを防止することができる。その結果、レンズバリア駆動に関する不具合発生を低減することができる。
【００４８】
また、嵌合軸６と貫通穴２ｂとの間にＯリング１１が挿入されているので、所定レベルの防水性能が得られる。水の浸入によって生じる部品の摺動不良、油のにじみ出しなどの発生を未然に防止することができる。
【００４９】
よって、外部から砂、塵、水などが侵入し難いレンズバリア付レンズ鏡筒を提供することができる。
【００５０】
また、上記レンズバリア付レンズ鏡筒を設けることによって、外部からレンズ鏡筒を介して砂、塵、水などが侵入し難いカメラを提供することができる。
【図面の簡単な説明】
【００５１】
【図１】本発明の一実施の形態に係るレンズバリア付レンズ鏡筒の構成を示す分解斜視図である。
【図２】図１の分解斜視図を別の方向から見た分解斜視図である。
【図３】図１のレンズバリア付レンズ鏡筒のバリア駆動環７の係合部７ｄとカメラ本体に固定された固定部材との位置関係を模式的に示す図である。
【図４】従来のレンズバリア付レンズ鏡筒の分解斜視図である。
【符号の説明】
【００５２】
１  レンズ
２  レンズ鏡筒
２ｂ  貫通穴
３  化粧板
４  バリア
４ａ  ばね部材
６  嵌合軸
６ｄ  駆動ピン
７  バリア駆動環
７ｄ  係合部
８  閉じばね
９  開きばね
１１  Ｏリング
１２  固定部材
【図１】
2006133682.tif 000003
【図２】
2006133682.tif 000004
【図３】
2006133682.tif 000005
【図４】
2006133682.tif 000006